(57)【特許請求の範囲】
【請求項１】
支柱に昇降自在に基台を設け、基台に回転灯とカーブミラーである標示機を設け、基台を上昇位置と下降位置の間を昇降する昇降手段として、支柱の上端及び下部に設けられた滑車と、両滑車に渡され両端が前記基台に接続されたワイヤと、基台に形成された凹部に係合して基台を上昇位置に固定するストッパー爪より構成されている昇降手段を設けたことを特徴とする標示装置。
【請求項２】
支柱に昇降自在に基台を設け、基台に信号灯である標示機を設け、基台を上昇位置と下降位置の間を昇降する昇降手段として、支柱の上端及び下部に設けられた滑車と、両滑車に渡され両端が前記基台に接続されたワイヤと、基台に形成された凹部に係合して基台を上昇位置に固定するストッパー爪より構成されている昇降手段を設けたことを特徴とする標示装置。
【請求項３】
支柱に昇降自在に基台を設け、基台に交通標識が記された板である標示機を設け、基台を上昇位置と下降位置の間を昇降する昇降手段として、支柱の上端及び下部に設けられた滑車と、両滑車に渡され両端が前記基台に接続されたワイヤと、基台に形成された凹部に係合して基台を上昇位置に固定するストッパー爪より構成されている昇降手段を設けたことを特徴とする標示装置。
【発明の詳細な説明】
【０００１】
【発明の属する技術分野】
本発明は、給油所又は駐車場等の車の出口、及び道路等に設置される標示装置の改良に関するものである。
【０００２】
【従来の技術】
給油所又は駐車場等の車の出口、及び道路等には各種の標示装置が設置されている。例えば、給油所又は駐車場等の車の出口には、支柱の上部にカーブミラー及び回転灯等の標示機が設けられた標示装置が設置され、道路には支柱の上部に信号灯等の標示機が設けられた表示装置が設置されている。そして、遠方からも見えるように、標示機は高い支柱の上部に設けられている。このために、標示機のランプの交換及び標示機の掃除等の保守点検は、リフトカーを使用して行い、大がかりな作業となり費用が嵩んでいる。また、リフトカーを使用せずに、長い梯子を使用して行う場合は、危険な作業となる。
【０００３】
【発明が解決しようとする課題】
そこで本発明は、標示機のランプの交換及び標示機の掃除等の保守点検を、容易に行えるようにした標示装置を提供することである。
【０００４】
【課題を解決するための手段】
上記目的を達成するために、本発明は、支柱に昇降自在に基台を設け、基台に、回転灯とカーブミラーである、または、信号灯である、もしくは交通標識が記された板である標示機を設け、基台を上昇位置と下降位置の間を昇降する昇降手段として、支柱の上端及び下部に設けられた滑車と、両滑車に渡され両端が前記基台に接続されたワイヤと、基台に形成された凹部に係合して基台を上昇位置に固定するストッパー爪より構成されている昇降手段を設けたことを要旨とするものである。
【０００５】
本発明によれば、発明の標示装置は、支柱に昇降自在に基台を設け、基台に標示機を設け、基台を上昇位置と下降位置の間を昇降する昇降手段を設けているので、標示機を設けた基台を下降位置へ降して保守点検することができ、標示機の保守点検が容易に行えるようになる。そして、前記標示機は、回転灯とカーブミラー、信号灯、又は交通標識が記された板である。
【０００６】
また、前記昇降手段は、支柱の上端及び下部に設けられた滑車と、両滑車に渡され両端が前記基台に接続されたワイヤと、基台に形成された凹部に係合して基台を上昇位置に固定するストッパー爪より構成されているので、簡単な機構で安価に作ることができる。
【０００７】
【発明の実施の形態】
以下、本発明の標示装置を説明する。図１に示すように、給油所又は駐車場等の車の出口に設置される標示装置１は、３メートル程度の高さの支柱２の上部に基台３が固定され、この基台３に標示機４が設けられている。この標示機４は、出口及び道路の車を写すカーブミラー１５、及び出車を知らせる回転灯１６等である。
【０００８】
また、図２に示すように道路に設置される標示装置１は、５メートル程度の高さの支柱２の上部に基台３が固定され、この基台３に標示機４が設けられている。この標示機４は、赤黄青のランプの信号灯１７である。
【０００９】
さらに、図３に示すように道路に設置される標示装置１は、３メートル程度の高さの支柱２の上部に基台３が固定され、この基台３に標示機４が設けられている。この標示機４は、制限速度等が記された板１８である。
【００１０】
次に、標示機４を設けた基台３の昇降手段の構造を説明する。図４に示すように、支柱１の上端及び下部には滑車５、６が設けられ、滑車５、６に渡されたワイヤ７は基台３に接続されている。そして、下部の滑車６には、回動用のハンドル８が着脱自在に設けられている。支柱２の上部の上昇位置Ａには、軸９に軸支されたストッパー爪１０が設けられ、基台３にはストッパー爪１０に係合する第一の凹部１１とストッパー爪１０を跳ね上げる第２の凹部１２が形成されている。このストッパー爪１０には、係合位置に付勢する重り１０ａが設けられている。また、支柱２の下部の下降位置Ｂには、基台３に当接するストッパー１３が設けられている。
【００１１】
標示機４を保守点検するには、滑車６にハンドル８を着け、ハンドル８を正転して基台３を少し上昇させると、ストッパー爪１０は第一の凹部１１から抜けて第２の凹部１２に入る。そして、ハンドル８を逆転すると、基台３は下降する。ストッパー爪１０が第２の凹部１２から抜け出るときに、ストッパー爪１０は第二の凹部１２の壁で回動され、第一の凹部１１に係合することなく下降する。そして、基台３は下降位置Ｂでストッパー１３に当接して保持され、この位置で標示機４の保守点検を行う。
【００１２】
保守点検が終わったならば、ハンドル８を正転して基台３を上昇位置Ａまで上昇し、ハンドル８を少し逆転すると、ストッパー爪１０は第一の凹部１１に係合し、基台３は上昇位置Ａに固定される。なお、ストッパー爪１０が第２の凹部１２に係合するまで基台３を上昇させた場合は、ハンドル８をゆっくり逆転すると、第二の凹部１２からストッパー爪１０が抜け出るときに、ストッパー爪１０は第二の凹部１２の壁で回動されるが、ストッパー爪１０は重り１０ａにより係合位置に戻り、第一の凹部１１に係合する。
【００１３】
最後に、ハンドル８を滑車６から外し、全ての作業を終える。このようにハンドル８を滑車６から外しておけば、標示機４は降ろすことができず、第三者に悪戯されることが防止できる。
【００１４】
【発明の効果】
以上説明したように本発明の標示装置は、支柱に昇降自在に基台を設け、基台に標示機を設け、基台を上昇位置と下降位置の間を昇降する昇降手段を設けているので、標示機を設けた基台を下降位置へ降して保守点検することができ、標示機の保守点検が容易に行えるようになる。
【図面の簡単な説明】
【図１】  本発明の標示装置の第１の実施の形態の正面図である。
【図２】  本発明の標示装置の第２の実施の形態の正面図である。
【図３】  本発明の標示装置の第３の実施の形態の正面図である。
【図４】  本発明の標示装置の断面図である。
【符号の説明】
１  標示装置
２  支柱
３  基台
４  標示機
５、６  滑車
７  ワイヤ
８  ハンドル
９  軸
１０  ストッパー爪
１１  第一の凹部
１２  第２の凹部
１３  ストッパー
１５  カーブミラー
１６  回転灯
１７  信号灯
１８  板
【図１】
0003731341.tif 000002
【図２】
0003731341.tif 000003
【図３】
0003731341.tif 000004
【図４】
0003731341.tif 000005